(57)【要約】  【課題】粉末原料供給時における粉塵の飛散を抑制すること。  【解決手段】カップ１を搬送するカップ搬送機構３と、粉末原料を供給する原料収納箱４と原料収納箱４から粉末原料をカップ１に導く原料シュート５と、カップ１に供給された原料と希釈液を攪拌する攪拌装置６と、攪拌装置６に併設されて原料の希釈液を注入する水ノズル８とから構成されているカップ自動販売機の飲料調理装置において、粉末原料をカップ１内に吐出する以前に、水ノズル８からカップ１内およびカップ１側面の内壁に水を散布することで、後に供給された粉末原料が予め散布された水に吸着され、比重の軽い粉末原料が粉塵となって舞上がることを抑制できる。【選択図】図１
2006227861.tif 000002
【特許請求の範囲】
【請求項１】
粉末原料を供給する粉末原料収納箱と、希釈液を供給する希釈液収納部を備え前記粉末原料収納部と前記希釈液収納部からカップに供給した粉末原料と希釈液を調理した飲料を販売するカップ自動販売機において、前記粉末原料を前記カップに供給する以前に、前記希釈液収納部から前記希釈液の一定量の一部をカップに散布することを特徴とするカップ自動販売機の飲料調理装置。
【請求項２】
カップに供給した粉末原料と希釈液を調理した飲料を販売するカップ自動販売機において、前記希釈液収納部から前記希釈液の一定量の一部を前記カップに散布する際、カップ側面の内壁に向かって散布することを特徴とする請求項１に記載のカップ自動販売機の飲料調理装置。
【請求項３】
カップに供給した粉末原料と希釈液を調理した飲料を販売するカップ自動販売機において、前記希釈液収納部から前記希釈液の一定量の一部を前記カップに散布する際、散布される希釈液がノズル先端の形状によってシャワー状に広がることを特徴とする請求項２に記載のカップ自動販売機の飲料調理装置。
【請求項４】
カップに供給した粉末原料と希釈液を調理した飲料を販売するカップ自動販売機において、前記希釈液収納部から前記希釈液の一定量の一部を前記カップに散布する際、散布される希釈液がノズル先端の形状によって霧状に広がることを特徴とする請求項２に記載のカップ自動販売機の飲料調理装置。
【請求項５】
カップに供給した粉末原料と希釈液を調理した飲料を販売するカップ自動販売機において、前記希釈液収納部から前記希釈液の一定量の一部を前記カップに散布する際、散布される希釈液がノズル先端の形状によって高圧の状態でカップ側面の内壁に当たり、カップ内壁を螺旋状にまわることでカップ側面の内壁を濡らすことを特徴とする請求項２に記載のカップ自動販売機の飲料調理装置。
【請求項６】
カップに供給した粉末原料と希釈液を調理した飲料を販売するカップ自動販売機において、前記希釈液収納部から前記希釈液の一定量の一部を前記カップに散布するノズルが、希釈液を一定量に達するまで供給するノズルが共通であることを特徴とする請求項３から５のいずれか一項に記載のカップ自動販売機の飲料調理装置。
【請求項７】
カップに供給した粉末原料と希釈液を調理した飲料を販売するカップ自動販売機において、前記希釈液収納部から前記希釈液の一定量の一部を前記カップに散布するノズルが、希釈液を一定量に達するまで供給するノズルとは別に設けられていることを特徴とする請求項３から５のいずれか一項に記載のカップ自動販売機の飲料調理装置。
【発明の詳細な説明】
【技術分野】
【０００１】
本発明は原料粉末の粉塵の飛散による庫内汚染を防止するカップ自動販売機の飲料調理装置に関するものである。
【背景技術】
【０００２】
従来、カップ自動販売機の飲料調理装置は、先ず希釈液の一部を供給し、次に粉末原料を吐出し、次に希釈液を規定量に到達するまで供給するという順序にて混合することにより、溶解時に高粘度となるホイップ等の難溶解性飲料の溶け残りを防止するものである（例えば、特許文献１参照）。図５は、前記公報に記載された従来のカップ自動販売機の飲料調理装置を示すものである。
【０００３】
カップ２１と、カップ２１を搬出するカップ供給装置２２と、一端を回動自在に固定されて所定の位置まで移動し、カップおよび原料の受取りを行うカップ搬送機構２３と、粉末原料を収納する原料収納箱２４と粉末原料を導入するための原料シュート２５と、攪拌装置２６と、攪拌装置２６の先端に設けられた羽根車２７と、希釈液を注入する希釈液ノズル２８から構成され、カップ搬送機構２３がカップ、希釈液の一部、原料粉末、規定量の希釈液の順序でそれぞれ所定の位置まで移動して受取りを行っている。
【特許文献１】特開２００３−４４９２４号公報
【発明の開示】
【発明が解決しようとする課題】
【０００４】
しかしながら、前記従来の構成では、希釈液ノズル２８から希釈液の一部がカップ２１底部に注入される際、注入された希釈液はカップ２１底に貯留しているだけなので、次工程で比重の比較的重い粉末原料が吐出された場合は、粉末原料が希釈液に溶解して一定の効果が期待できるが、比重の軽い粉末原料の場合は、カップ２１底面の希釈液に到達せずにカップ２１内を浮遊して舞上がる粉塵が多く見られる。また、希釈液を注入するということは、溶解時に高粘度となるホイップ等の難溶解性飲料の溶け残りを防止することが目的であるため、希釈液が高温である程良いが、原料粉末の溶解性が高くなる反面、湯気の上がる希釈液入りのカップ２１を原料シュート２５の下に移動させると舞上がる湯気で原料シュート２５が濡れて原料固着の原因となる。一方、希釈液が低温である場合、原料粉末を溶解できる程度の希釈液を注入するとホット飲料の場合、飲料品温の低下に繋がるという問題を有していた。
【０００５】
本発明は、前記従来の課題を解決するもので、粉塵の飛散を抑制することができるカップ自動販売機の飲料調理装置を提供することを目的とする。
【課題を解決するための手段】
【０００６】
前記従来の課題を解決するために、本発明のカップ自動販売機の飲料調理装置は、原料粉末が吐出されるより前または同期して、カップ内壁および底面に湯気の上がらない程度の液温（例えば常温）の希釈液を散布することによりカップ側面の内壁を濡らして粉塵の吸着性を高めるものである。
【０００７】
これによって、原料粉末がカップ内に吐出されると、カップ底面に散布されて底に貯留した希釈液の滴によって原料粉末が吸着されることにより、粉塵の飛散を抑制でき、底面に到達せずにカップ内を浮遊する粉塵はカップ内壁の前記滴によって吸着されることにより、カップ内より舞上がる粉塵の量が抑制できる。
【０００８】
また、本発明のカップ自動販売機の飲料調理装置は、希釈液の滴を均一に散布することにより液量を低減できることからホット飲料の品温低下を抑制できる他、カップから湯気が上がることもないので、粉末原料のシュート部が湯気で濡れて固着する恐れもない。
【発明の効果】
【０００９】
本発明のカップ自動販売機の飲料調理装置は、カップ内壁および底面に湯気の上がらない常温の希釈液を散布することによりカップ内表面を濡らして粉塵の吸着性を高めて、カップ内より舞上がる粉塵の量が抑制することができる。
【発明を実施するための最良の形態】
【００１０】
第１の発明は、粉末原料を収納する粉末原料収納箱と、希釈液を供給する希釈液収納部を備え前記粉末原料収納部と前記希釈液収納部からカップに供給した粉末原料と希釈液を調理した飲料を販売するカップ自動販売機において、前記粉末原料を前記カップに供給する以前に、前記希釈液収納部から前記希釈液の一定量の一部をカップに散布することによりカップ内を濡らして粉塵の吸着性を高め、前記粉末原料がカップに供給される際に飛散する粉塵の量を抑制することができる。
【００１１】
第２の発明は、カップに供給した粉末原料と希釈液を調理した飲料を販売するカップ自動販売機において、前記希釈液収納部から前記希釈液の一定量の一部を前記カップに散布する際、カップ側面の内壁に向かって散布することによりカップ底面だけでなくカップ側面の内壁を濡らして粉塵の吸着性を高め、前記粉末原料がカップに供給される際に飛散する粉塵の量を抑制することができる。
【００１２】
第３の発明は、カップに供給した粉末原料と希釈液を調理した飲料を販売するカップ自動販売機において、前記希釈液収納部から前記希釈液の一定量の一部を前記カップに散布する際、散布される希釈液がノズル先端の形状によってシャワー状に広がることにより前記カップ内壁を均一に濡らすことで粉塵の吸着性を高めて前記粉末原料がカップに供給される際に飛散する粉塵の量を抑制し、さらに前記希釈液の散布量が少量で済むためホット飲料の出来上がり品温の低下を防止することができる。
【００１３】
第４の発明は、カップに供給した粉末原料と希釈液を調理した飲料を販売するカップ自動販売機において、前記希釈液収納部から前記希釈液の一定量の一部を前記カップに散布する際、散布される希釈液がノズル先端の形状によって霧状に広がることにより前記カップ内壁を均一に濡らすことで粉塵の吸着性を高めて前記粉末原料がカップに供給される際に飛散する粉塵の量を抑制し、さらに前記希釈液の散布量が少量で済むためホット飲料の出来上がり品温の低下を防止することができる。
【００１４】
第５の発明は、カップに収納した粉末原料と希釈液を調理した飲料を販売するカップ自動販売機において、前記希釈液収納部から前記希釈液の一定量の一部を前記カップに散布する際、散布される希釈液がノズル先端の形状によって高圧の状態でカップ側面の内壁に当たり、カップ内壁を螺旋状にまわることでカップ側面の内壁を濡らすことにより前記カップ内壁をムラなく確実に濡らすことで粉塵の吸着性を高めて前記粉末原料がカップに供給される際に飛散する粉塵の量を抑制することができる。
【００１５】
第６の発明は、カップに供給した粉末原料と希釈液を調理した飲料を販売するカップ自動販売機において、前記希釈液収納部から前記希釈液の一定量の一部を前記カップに散布するノズルが、希釈液を一定量に達するまで供給するノズルが共通であるため構成を簡素化することができる。
【００１６】
第７の発明は、カップに供給した粉末原料と希釈液を調理した飲料を販売するカップ自動販売機において、前記希釈液収納部から前記希釈液の一定量の一部を前記カップに散布するノズルが、希釈液を一定量に達するまで供給するノズルとは別に設けられているため、水用のノズルで希釈液を散布し、湯用のノズルで希釈液を一定量に達するまで供給するような用途になり、希釈液の温度を用途別に分けることができる。
【００１７】
以下、本発明の実施の形態について、図面を参照しながら説明する。なお、本発明の実施の形態によって本発明が限定されるものではない。
【００１８】
（実施の形態１）
図１（ａ）〜（ｅ）は、本発明の実施の形態１におけるカップ自動販売機の飲料調理装置のカップ内部の状態を示すもので、前記の工程（ａ）〜（ｅ）に対応したカップ内部の状態を示したものである。
【００１９】
図２は、本発明の実施の形態１におけるカップ自動販売機の飲料調理装置の構成図を示すものである。
【００２０】
図２において飲料調理装置は、カップ１を搬出するカップ供給装置２と、カップおよび原料の受取りを行うカップ搬送機構３と、粉末原料を収納する原料収納箱４と原料収納箱４から原料をカップ１に導く原料シュート５と、カップ１に供給された原料と希釈液を攪拌する攪拌装置６と、攪拌装置６の先端に設けられた羽根車７と、攪拌装置６に併設されたカップ１に供給された原料を希釈する水を注入する水ノズル８と、同様に湯を注入する湯ノズル９から構成されている。
【００２１】
以上のように構成されたカップ自動販売機の飲料調理装置について、以下その動作、作用を図１を用いて説明する。
【００２２】
カップ搬送機構３は伸縮機構（図示せず）を兼ね備え、支軸を中心に回動自在に保持された上で待機位置からカップ供給装置２の下に移動し、カップ供給装置２から搬出されたカップ１を受取る。
【００２３】
次にカップ搬送機構３は攪拌装置６の下に移動し、水ノズル８よりカップ１内に水が散布される工程（ａ）。
【００２４】
図１（ａ）は前記工程（ａ）におけるカップ内部の状態を示した図であり、水が水ノズル８よりカップ１内にシャワー状に散布されてカップ内表面がムラなく濡らされる。
【００２５】
次にカップ搬送機構３は原料シュート５の下に移動し、原料収納箱４からモーター（図示せず）によって規定量吐出されて原料シュート５を滑ってカップ１内に供給される工程（ｂ）。
【００２６】
図１（ｂ）は前記工程（ｂ）におけるカップ内部の状態を示した図であり、原料収納箱４から吐出された粉末原料がシュート５を滑り、カップ１内に供給される。このとき、カップ内壁に散布された水滴が粉末原料を吸着することにより、カップ１内部から舞上がる粉塵を抑制する。
【００２７】
次に、カップ搬送機構３は攪拌装置６の下に移動し、湯ノズル９より規定量に到達するまでカップ１内に湯が供給され、湯ノズル９からの湯の供給開始とともに攪拌装置６から伸縮機構（図示せず）を備えた自在の羽根車７が伸びる工程（ｃ）。
【００２８】
図１（ｃ）は前記工程（ｃ）におけるカップ内部の状態を示した図であり、湯ノズル９より規定量に到達するまでカップ１内に湯が供給される。湯ノズル９からの湯の供給開始とともに攪拌装置６から伸縮自在の羽根車７が伸びている。
【００２９】
次に、羽根車７が回転することにより、カップ１内に供給されていた水、湯、粉末原料が攪拌・混合されて飲料が調理される工程（ｄ）。
【００３０】
図１（ｄ）に示すように、羽根車７が回転することにより、カップ１内に供給されていた水、湯、粉末原料が攪拌・混合されて飲料が調理される。
【００３１】
次に、羽根車７が待機位置まで戻り、飲料が完成する工程（ｅ）。
【００３２】
図１（ｅ）に示すように、羽根車７が待機位置まで上昇して飲料が完成する。
【００３３】
以上のように、本実施の形態においては、粉末原料がシュート５から供給される以前にカップ１内に水ノズル８より水を散布することにより、後に供給された粉末原料が予め散布された水に吸着されることにより粉塵の舞上がりを抑制することができる。
【００３４】
また、本実施の形態においてはカップ１内に水を散布する際、単にカップ１内に供給するだけではなく、シャワー状に拡がって特にカップ１側面の内壁にまで散布することにより吸着させる表面積を増加させることで原料粉末を吸着させる効果を増加させることができる。
【００３５】
（実施の形態２）
図３は、本発明の実施の形態２におけるカップ自動販売機の飲料調理装置の水ノズルの水散布状態を示すものである。水ノズル８を除いた構成・飲料調理手順は（実施の形態１）に示した通りであるが、水ノズル８に代わって霧状に噴射される水ノズル１０が設けられている。
【００３６】
図３のようにスプレー形状をした水ノズル１０により水が霧状に噴出されることにより均一にカップ１の内壁全体を濡らすことができ、粉塵の舞上がりを抑制する効果を高めることができる。
【００３７】
また、水の散布量を少なくすることができるため、ホット飲料の出来あがり品温低下を防止することができる。
【００３８】
（実施の形態３）
図４は、本発明の実施の形態３におけるカップ自動販売機の飲料調理装置の水ノズルの水散布状態を示すものである。水ノズル８を除いた構成・飲料調理手順は（実施の形態１）に示した通りであるが、水ノズル８に代わって高圧噴射する水ノズル１１が設けられている。
【００３９】
図４のように水が高圧のままカップ内壁へ噴射されて、カップ内壁を螺旋状に回転することにより確実にカップ１の内壁全体を確実に濡らすことができ、粉塵の舞上がりを抑制する効果を高めることができる。
【産業上の利用可能性】
【００４０】
以上のように、本発明にかかるカップ自動販売機の飲料調理装置は、カップ内壁および底面に湯気の上がらない常温の希釈液を散布することによりカップ内表面を濡らして粉塵の吸着性を高めて、カップ内より舞上がる粉塵の量が抑制することが可能となるので、カップミキシング方式のサーバー等の用途にも適用できる。
【図面の簡単な説明】
【００４１】
【図１】（ａ）本発明の実施の形態１におけるカップ自動販売機の飲料調理装置の工程図（ｂ）同カップ自動販売機の飲料調理装置の工程図（ｃ）同カップ自動販売機の飲料調理装置の工程図（ｄ）同カップ自動販売機の飲料調理装置の工程図（ｅ）同カップ自動販売機の飲料調理装置の工程図
【図２】本発明の実施の形態１におけるカップ自動販売機の飲料調理装置の構成図
【図３】本発明の実施の形態２におけるカップ自動販売機の飲料調理装置の構成図
【図４】本発明の実施の形態３におけるカップ自動販売機の飲料調理装置の構成図
【図５】従来のカップ自動販売機の飲料調理装置の構成図
【符号の説明】
【００４２】
１    カップ
２    カップ供給装置
３    カップ搬送機構
４    原料収納箱
５    原料シュート
６    攪拌装置
７    羽根車
８    水ノズル
９    湯ノズル
１０  スプレー形状水ノズル
１１  高圧噴射水ノズル
【図１】
2006227861.tif 000003
【図２】
2006227861.tif 000004
【図３】
2006227861.tif 000005
【図４】
2006227861.tif 000006
【図５】
2006227861.tif 000007